(57)【特許請求の範囲】
【請求項１】
ガラス扉を有し外枠に開閉自在となった前枠を施錠する遊技機の施錠装置であって、
前記前枠の背面に固設したフレームと、
該フレームに摺動自在に設けられ一方に摺動して前記外枠に係止するロットと、
前記フレームに固設したロックユニットと、
を備え、
前記ロックユニットは、
前記フレームに固設されるユニットベースと、
該ユニットベースに回動自在に支持され、一方に回動して前記ロットに係止し該ロットの摺動を規制するロックアームと、
前記ユニットベースに固着して遊技機前面にキー穴を表出するシリンダー錠と、
該シリンダー錠の解錠によって回動し前記ロットに対する前記ロックアームの係止を解除し且つ前記ロットを係止解除方向に摺動するシリンダーカムと、
前記ユニットベースに回動自在に支持され、一方に回動して一端を前記ユニットベースから突出させるとともに他端を前記ロックアームに圧接して該ロックアームを前記ロットとの係止解除位置に回動させ且つ前記前枠の閉状態で一端を前記外枠で押圧して他方に回動し前記ロックアームへの圧接を解除して該ロックアームを前記ロットへ係止可能状態とするロックカムと、
を具備したことを特徴とする施錠装置。
【請求項２】
請求項１記載の施錠装置において、
前記ユニットベースに回動自在に支持され、一方に回動して一端を該ユニットベースの側壁に当接するとともに側壁に穿設した穴より棒を挿入して一端を押圧することにより他方に回動して前記ロックアームに当接し該ロックアームを前記ロットとの係止解除位置に押圧する解除レバーと、
前記ユニットベースに回動自在に支持され、一方に回動して一端を前記解除レバーに当接し該解除レバーが他方に回動した状態で該解除レバーと側壁との間に一端を挟入して該解除レバーの一方の回動を阻止するとともに、前記ユニットベースに固着したガイドの穴から他端の傾斜面を棒で押圧することにより他方に回動して一端を前記解除レバーと側壁との間から抜脱して該解除レバーを他方に回動可能状態とする解除カムと、
を具備したことを特徴とする施錠装置。
【請求項３】
請求項１又は２記載の施錠装置において、
前記ユニットベースに前記前枠の背面側からカバーを固着し、該カバーによって前記ユニットベースの内部機構を覆ったことを特徴とする施錠装置。
【発明の詳細な説明】
【０００１】
【発明の属する技術分野】
本発明は、ガラス扉を有し外枠に開閉自在となった前枠を施錠する遊技機の施錠装置に関し、さらに詳しくは、不正解錠を防止するとともに、遊技機への着脱を容易とする改良技術に関する。
【０００２】
【従来の技術】
従来、パチンコ遊技台等の施錠装置として、例えば実公昭５８−４５３８号公報に開示されているものがある。これは、図１８に示すように、前枠１００の開放側裏面にシリンダ錠１０１と、該シリンダ錠１０１の錠軸１０２に取付けられたカム板１０３と、上下一対の鉤片１０４，１０４を有する昇降杆１０５とを基枠体１０６を介して取り付けるとともに、外枠１０７の開放側内側面の上下位置に前記鉤片１０４，１０４が係脱する係止金具１０８，１０８を固着し、シリンダ錠１０１の回動操作によりカム板１０３を回動して昇降杆１０５を上下方向へ摺動させるとともに、係止金具１０８，１０８と鉤片１０４，１０４との係止を解除して前枠１００を解錠するように構成されたものである。この施錠装置は、施錠機構の主要部材をネジ止めすることで前枠１００に固定していた。
【０００３】
【発明が解決しようとする課題】
しかしながら、上記した従来の施錠装置は、前枠の開閉端側の裏面に、昇降杆、カム板を配設し、これらの機構部が前枠の開閉端側の木口や背面から露出する状態となっていたため、前枠を閉鎖した場合であっても、前枠と外枠との隙間から針金等を挿入すれば、容易に機構部に接触して不正な行為、悪戯ができた。
【０００４】
そして、昇降杆がカム板だけによって上下摺動して係止金具に係脱する機構であったため、上記した隙間から針金等を挿入すれば、昇降杆を係止解除する方向に直接移動することも可能で、高い施錠信頼性を得ることができなかった。
【０００５】
また、従来の施錠装置は、施錠機構の複数の主要部材を前枠にネジ固定しているが、その取り付け時等の際に、シリンダ錠によって鉤片の動作が解除されていないと、その作業が煩雑なものとなり、作業性を低下させることがあった。
【０００６】
本発明は上記状況に鑑みてなされたもので、その第一の目的は、隙間から挿入した針金等によっても昇降杆を係止解除することができない施錠装置を提供し、施錠信頼性の向上を図ることにある。また、その第二の目的は、容易に脱着・取付けできる施錠装置を提供することにある。
【０００７】
【課題を解決するための手段】
次に、上記の課題を解決するための手段を、実施の形態に対応する図面を参照して説明する。
この発明の請求項１記載の施錠装置は、ガラス扉を有し外枠３８に開閉自在となった前枠を施錠する遊技機の施錠装置４０であって、
前記前枠の背面に固設したフレーム１と、
該フレーム１に摺動自在に設けられ一方に摺動して前記外枠３８に係止するロット５と、
前記フレーム１に固設したロックユニット９と、
を備え、
前記ロックユニット９は、
前記フレーム１に固設されるユニットベース１３と、
該ユニットベース１３に回動自在に支持され、一方に回動して前記ロット５に係止し該ロット５の摺動を規制するロックアーム１９と、
前記ユニットベース１３に固着して遊技機前面にキー穴を表出するシリンダー錠１１と、
該シリンダー錠１１の解錠によって回動し前記ロット５に対する前記ロックアーム１９の係止を解除し且つ前記ロット５を係止解除方向に摺動するシリンダーカム１５と、
前記ユニットベース１３に回動自在に支持され一方に回動して一端を前記ユニットベース１３から突出させるとともに他端を前記ロックアーム１９に圧接して該ロックアーム１９を前記ロット５との係止解除位置に回動させ且つ前記前枠の閉状態で一端を前記外枠３８で押圧して他方に回動し前記ロックアーム１９への圧接を解除して該ロックアーム１９を前記ロット５へ係止可能状態とするロックカム２５と、
を具備したことを特徴とする。
【０００８】
この施錠装置４０では、ロット５が外枠３８に係止した状態で、ロット５にロックアーム１９が係止し、ロット５の摺動を規制することができ、ロット５を直接摺動することによるロット５と外枠３８との係止解除、すなわち、前枠の解錠を阻止できる。これにより、前枠の木口と外枠との隙間から針金等を挿入してロット５の係止を解除する前枠の不正解錠を阻止できる。また、フレーム１にロット５を摺動自在に設け、フレーム１に固設したロックユニット９を構成するユニットベース１３に、シリンダー錠１１、シリンダーカム１５、ロックアーム１９、ロックカム２５を設けたので、フレーム１に対してユニット化された錠機構部を配設でき、且つ施錠装置４０を一つのユニットとして前枠に取り付けることができ、取り付け性を向上させることができる。
【０００９】
請求項２記載の施錠装置は、請求項１記載の施錠装置４０において、
前記ユニットベース１３に回動自在に支持され一方に回動して一端２１ｂを該ユニットベース１３の側壁１３ｃに当接するとともに該側壁１３ｃに穿設した１３ｂ穴より棒４１を挿入して一端２１ｂを押圧することにより他方に回動して前記ロックアーム１９に当接し該ロックアーム１９を前記ロット５との係止解除位置に押圧する解除レバー２１と、
前記ユニットベース１３に回動自在に支持され一方に回動して一端２７ｂを前記解除レバー２１に当接し該解除レバー２１が他方に回動した状態で該解除レバー２１と前記側壁１３ｃとの間に一端２７ｂを挟入して該解除レバー２１の一方の回動を阻止するとともに、前記ユニットベース１３に固着したガイド２９の穴２９ｂから他端の傾斜面２７ｃを棒４１で押圧することにより他方に回動して一端２７ｂを前記解除レバー２１と前記側壁１３ｃとの間から抜脱して該解除レバー２１を他方に回動可能状態とする解除カム２７と、
を具備したことを特徴とする。
【００１０】
この施錠装置４０では、棒４１で一端２１ｂを押圧することによりロックアーム１９に当接しロックアーム１９をロット５との係止解除位置に押圧する解除レバー２１と、解除レバー２１と側壁１３ｃとの間に一端を挟入して解除レバー２１の回動を阻止するとともに他端の傾斜面２７ｃを棒４１で押圧することにより一端２７ｂを解除レバー２１と側壁１３ｃとの間から抜脱して解除レバー２１を回動可能状態とする解除カム２７とを備えたので、キーを用いずに、ロックアーム１９によるロック機構の解除・復帰を繰り返し行うことができる。
【００１１】
請求項３記載の施錠装置は、請求項１又は２記載の施錠装置４０において、
前記ユニットベース１３に前枠の背面側からカバー３１を固着し、該カバー３１によって前記ユニットベース１３の内部機構を覆ったことを特徴とする。
【００１２】
この施錠装置４０では、ユニットベース１３の内部機構がカバー３１によって覆われ、遊技機の背面からロックアーム１９等を解除操作し、前枠を開放する等の不正行為が行えなくなる。
【００１３】
【発明の実施の形態】
以下、本発明に係る施錠装置の好適な実施の形態を図面を参照して詳細に説明する。
図１は本発明に係る施錠装置の要部分解斜視図、図２は本発明に係る施錠装置の分解斜視図、図３は図２の側面視を（ａ）、背面視を（ｂ）で示した組立外観図、図４は図３の前枠解錠状態における組立外観図、図５は図３のガラス扉解錠状態における組立外観図、図６は図１に示したロックアームの斜視図、図７は図１に示したシリンダーカムの斜視図、図８は図１に示した解除カムの斜視図、図９は図１に示した解除レバーの斜視図、図１０は図１に示したロックカムの斜視図、図１１は図１に示したガイドの斜視図である。
【００１４】
本実施の形態による施錠装置は、遊技機であるパチンコ台に用いる場合を例に説明するが、この他、メダルを遊技媒体として使用するスロット等の遊技機に用いても後述する作用・効果を同様に奏するものである。
パチンコ台は、外枠に開閉自在となった前枠と、この前枠に対してさらに開閉自在となったガラス扉とを有している。これら前枠、ガラス扉の施錠は、前枠に設けて遊技台の表面に表出するシリンダ錠の回動方向によって施解錠操作が選択される。例えば、シリンダ錠を一方向に回転すれば、ガラス扉のみが前枠に対して解錠され、シリンダ錠を他方向に回転すれば前枠のみが外枠に対して解錠される。
【００１５】
図示しない前枠の背面には、断面が略Ｌ字状となる図２に示すレール状のフレーム１を固設している。フレーム１の長手方向両端には、図３に示す支持ピン２を介してフック３を回動自在に取り付けている。フック３は、前枠の背面より後方に突出する。この一対のフック３は、フレーム１の長手方向に摺動自在となる長尺のロット５の両端に回動軸６を介して連結されている。つまり、フック３とロット５は、ロット５の摺動によって上下一対のフック３が同時に揺動するリンク機構を構成している。
【００１６】
ロット５とフレーム１との間にはスライダー７を配設してあり、スライダー７はロット５と同方向の上下方向に摺動自在となっている。スライダー７には係止板７ａを突設してあり、係止板７ａはフレーム１の起立板１ａに穿設した長穴１ｂを貫通して図３（ｂ）に示すように突出している。これらロット５とスライダー７とにはバネＣを張架してあり、バネＣはロット５を図２の下方向、スライダー７を図２の上方向に付勢している。
【００１７】
ロット５は、図４に示すように、バネＣの付勢力に抗して上方向に摺動することで、上下のフック３を揺動して図示しない外枠との係止を解除する。一方、スライダー７は、図５に示すように、バネＣの付勢力に抗して下方向に摺動することで、図示しないガラス扉に対する係止板７ａの係止を解除する。
【００１８】
このフレーム１には、図２に示すロックユニット９を固設している。このロックユニット９は、パチンコ台の表面にキー穴を表出させるシリンダー錠１１を備え、後述の説明で明らかとなるように、シリンダー錠１１に挿入した図示しないキーの一方の回転でロット５を上方向に摺動させ、他方の回転でスライダー７を下方向へ摺動させる。また、ロックユニット９は、後述のロックアームを内設してあり、このロックアームをロット５に係止することで、ロット５を直接摺動することによるフック３の係止解除を阻止するようになっている。
【００１９】
ロックユニット９は、図１に示すように、ユニットベース１３と、このユニットベース１３に固設したシリンダー錠１１と、シリンダー錠１１の回動軸に固着したシリンダーカム１５と、パチンコ台背面に垂直方向でユニットベース１３に固設した加締めピン１７と、この加締めピン１７に回動自在に支持したロックアーム１９及び解除レバー２１と、ロックアーム１９を付勢するバネＡと、解除レバー２１を付勢するバネＢと、パチンコ台背面に平行でユニットベース１３に固設した加締めピン２３と、この加締めピン２３に回動自在に支持したロックカム２５及び解除カム２７と、加締めピン２３の一端を支持してユニットベース１３に固着したガイド２９と、ロックカム２５及び解除カム２７の双方を逆回転方向に付勢するバネＤと、ユニットベース１３に前枠の背面側から固着してユニットベース１３の内部機構を覆うカバー３１とからなる。
【００２０】
図６に示すロックアーム１９は、加締めピン１７を挿通する支持穴１９ａと、シリンダーカム１５の角部１５ｄ（図７参照）に当接する当接片１９ｂと、ロックカム２５の圧接端２５ｃ（図１０参照）が圧接するテーパ部１９ｃと、ロット５のロック穴３３（図２参照）に嵌入するロック片１９ｄとを有している。
【００２１】
図７に示すシリンダーカム１５は、シリンダー錠１１の回動軸に固着する固着穴１５ａと、スライダー７の係合溝３５（図２参照）に係合する突片１５ｂと、ロット５の係合片３７（図２参照）と係合するロット摺動片１５ｃと、ロックアーム１９の当接片１９ｂに当接する角部１５ｄとを有している。シリンダーカム１５は、シリンダー錠１１の解錠によって回動し、ロット５に対するロックアーム１９の係止を解除し且つロット５を係止解除方向に摺動する。
【００２２】
図８に示す解除カム２７は、加締めピン２３を挿通する支持穴２７ａと、解除レバー２１の上面２１ｄ（図９参照）に当接する当接腕２７ｂと、支持穴２７ａを挟んで当接腕２７ｂの反対側に設けた傾斜板２７ｃを有している。解除カム２７は、ユニットベース１３に回動自在に支持され一方に回動して一端である当接腕２７ｂを解除レバー２１に当接し解除レバー２１が他方に回動した状態で解除レバー２１と側壁１３ｃ（図１参照）との間に当接腕２７ｂを挟入して解除レバー２１の一方の回動を阻止するとともにユニットベース１３に固着したガイド２９のロック解除機構復帰穴２９ｂ（図１１参照）から他端の傾斜板２７ｃを棒で押圧することにより他方に回動して当接腕２７ｂを解除レバー２１と側壁１３ｃとの間から抜脱して解除レバー２１を他方に回動可能状態とする。
【００２３】
図９に示す解除レバー２１は、加締めピン１７を挿通する支持穴２１ａと、ロックアーム１９に当接して回動させる押圧片２１ｂと、バネＢが当たるバネ座片２１ｃとを有している。解除レバー２１は、ユニットベース１３に回動自在に支持され一方に回動して一端である押圧片２１ｂをユニットベース１３の側壁１３ｃに当接するとともに、側壁１３ｃに穿設したロック解除機構解除穴１３ｂ（図１参照）より棒を挿入して押圧片２１ｂを押圧することにより他方に回動してロックアーム１９に当接し、ロックアーム１９をロット５との係止解除位置に押圧する。
【００２４】
図１０に示すロックカム２５は、加締めピン２３を挿通する支持穴２５ａと、一端側に形成した進退部２５ｂと、支持穴２５ａを挟んで進退部２５ｂの反対側に設けた圧接端２５ｃとを有している。ロックカム２５は、ユニットベース１３に回動自在に支持され一方に回動して一端である進退部２５ｂをユニットベース１３から突出させるとともに、他端である圧接端２５ｃをロックアーム１９のテーパ部１９ｃに圧接してロックアーム１９をロット５との係止解除位置に回動させ且つ前枠の閉状態で進退部２５ｂを外枠で押圧して他方に回動しロックアーム１９への圧接端２５ｃの圧接を解除してロックアーム１９をロット５へ係止可能状態とする。
【００２５】
図１１に示すガイド２９は、加締めピン２３の一端部を支持するピン穴２９ａと、解除カム２７の傾斜板２７ｃに対向するロック解除機構復帰穴２９ｂとを有している。
【００２６】
また、ユニットベース１３は、解除レバー２１の押圧片２１ｂに対向する面に、ロック解除機構解除穴１３ｂを有している。
【００２７】
ロックアーム１９は、バネＡによって加締めピン１７を中心に、図１の反時計回りに付勢される。解除レバー２１は、バネＢによって加締めピン１７を中心に、図１の反時計回りに付勢される。ロックカム２５は、バネＤによって加締めピン２３を中心に、図１の時計回りに付勢される。解除カム２７は、バネＤによって加締めピン２３を中心に、図１の時計回りに付勢される。
【００２８】
時計回りに付勢されたロックカム２５は、前枠の開放時にバネＤの付勢力によってロックユニット９から図１の時計回りに回転して突出し、圧接端２５ｃをロックアーム１９のテーパ部１９ｃに圧接して、ロックアーム１９をバネＡの付勢力に抗し時計回りに回動させる。すなわち、この時計回りの回動により、前枠の開放状態では、ロックアーム１９のロック片１９ｄがロット５のロック穴３３から抜けた状態に保持される。
【００２９】
次に、上記のように構成した施錠装置４０の動作を説明する。
図１２は図１における前枠閉鎖時の状態を側面視（ａ）、背面視（ｂ）で示した動作説明図、図１３は図１２における前枠開放可能状態の動作説明図、図１４は図１２における前枠開放状態の動作説明図、図１５は図１２における前枠閉動状態の動作説明図、図１６は図１２におけるロック解除状態の動作説明図、図１７は図１２におけるロック復帰状態の動作説明図である。
【００３０】
前枠が閉まっている状態では、ロックカム２５の進退部２５ｂが外枠３８に押圧され、ロックアーム１９のロック片１９ｄが、ロット５に係止している。この状態で図１２に示すように、シリンダー錠１１が回動され、シリンダーカム１５が図１２（ｂ）の反時計回りに少し回ると、ロックアーム１９が角部１５ｄに当たって旋回し、ロット５との係止（ロック）が外れる。
【００３１】
図１３に示すように、シリンダーカム１５をさらに回すと、シリンダーカム１５のロット摺動片１５ｃがロット５の係合片３７を押し上げ、図４に示すように、ロット５が上方へ摺動（スライド）し、フック３が旋回する。従って、前枠は、閉まっている状態から開けられる状態になる。
【００３２】
図１４に示すように、前枠を開けるとロックカム２５がバネＤの力により矢印の方向に回転し、圧接端２５ｃがテーパ部１９ｃを押圧し、バネＡの力によりロックアーム１９がロック方向に戻ろうとするのを止める。すなわち、ロック解除の状態を保持する。
【００３３】
この状態で、シリンダーカム１５を元の位置に戻し、ロット５が戻ってもロックアーム１９が保持されているのでロックしない。また、前枠が開いた状態でなんらかの形でロックカム２５を元の位置に戻しても、バネＤの力により矢印の方向に回転し、ロックアーム１９のテーパ部１９ｃを押しロックアーム１９を非ロック状態に保持する。
【００３４】
図１５に示すように、シリンダーカム１５を戻した状態で、前枠を閉めると外枠３８にロックカム２５の進退部２５ｂがあたり矢印の方向に回転し、圧接端２５ｃがテーパ部１９ｃから離れて、ロックアーム１９の保持を解除する。ロックアーム１９の保持が解除されると、バネＡの力によりロックアーム１９が図１５（ｂ）の反時計回りに回転し、ロック片１９ｄをロック穴３３に係止してロット５をロックする。
【００３５】
また、図１６に示すように、棒４１をロック解除機構解除穴１３ｂに差し込むと、解除レバー２１の押圧片２１ｂが押され、解除レバー２１の時計回りの回転と同時にロックアーム１９も回転し、ロット５のロックを解除する。
解除レバー２１が旋回すると、解除カム２７は、当接腕２７ｂが解除レバー２１と接触している上面２１ｄから外れ、バネＤの力により矢印の方向に回転し、解除レバー２１及びロックアーム１９を保持する。つまり、解除カム２７は、解除レバー２１を介してロックアーム１９を、ロット５にロックしない位置に保持する。
【００３６】
一方、図１７に示すように、棒４１をガイド２９のロック解除機構復帰穴２９ｂに差し込むと、解除カム２７の傾斜板２７ｃが押されて、解除カム２７が図１７（ａ）の時計回りに回転し、解除カム２７の当接腕２７ｂが側壁１３ｃと解除レバー２１との間から脱出する。これにより、解除レバー２１はバネＢの力により、また、ロックアーム１９はバネＡの力により元の位置に戻り、ロット５をロックする。
【００３７】
このように、上記の施錠装置４０によれば、ロット５にロックアーム１９を係止して、ロット５の摺動を規制することができるので、ロット５を直接摺動することによるロット５と外枠との係止解除、すなわち、前枠の不正解錠を阻止できる。また、フレーム１にユニットベース１３を固着し、このユニットベース１３に、シリンダー錠１１，シリンダーカム１５，ロックアーム１９，ロックカム２５，解除レバー２１，解除カム２７を設けたので、外枠に施錠装置４０の構成部材を設けずに済み、施錠装置４０を一つのユニットとして前枠に取り付けることができる。
【００３８】
また、棒４１で押圧片２１ｂを押圧することによりロックアーム１９に当接しロックアーム１９をロット５との係止解除位置に押圧する解除レバー２１と、解除レバー２１と側壁１３ｃとの間に当接腕２７ｂを挟入して解除レバー２１の回動を阻止するとともに他端の傾斜板２７ｃを棒４１で押圧することにより当接腕２７ｂを解除レバー２１と側壁１３ｃとの間から抜脱して解除レバー２１を回動可能状態とする解除カム２７とを備えたので、キーを用いずに、ロックアーム１９によるロック機構の解除・復帰を繰り返し行うことができる。
【００３９】
さらに、ユニットベース１３の内部機構をカバー３１で覆うようにしたので、遊技機の背面からロックアーム１９等を解除操作し、前枠を開放する等の不正行為を阻止することができる。
【００４０】
【発明の効果】
以上説明したように、本発明に係る施錠装置によれば、ロットに係止するロックアームを備えたので、ロットが外枠に係止した状態で、ロットにロックアームが係止し、ロットの摺動を規制することができ、ロットを直接摺動することによるロットと外枠との係止解除を阻止できる。
これにより、前枠の木口と外枠との隙間から針金等を挿入してロットの係止を解除する前枠の不正解錠を阻止でき、前枠の施錠信頼性を向上させることができる。
【００４１】
また、フレームにロットを摺動自在に設け、フレームにロックユニットを固設した構成とし、そしてこのロックユニットを構成するユニットベースに、シリンダー錠，シリンダーカム，ロックアーム，ロックカムを設けたので、フレームに対してユニット化された錠機構部を配設でき、且つ施錠装置を一つのユニットとして前枠に取り付けることができ、取り付け性を向上させることができる。
【００４２】
また、本発明に係る施錠装置によれば、棒で一端を押圧することによりロックアームに当接しロックアームをロットとの係止解除位置に押圧する解除レバーと、解除レバーと側壁との間に一端を挟入して解除レバーの回動を阻止するとともに他端の傾斜面を棒で押圧することにより一端を解除レバーと側壁との間から抜脱して解除レバーを回動可能状態とする解除カムとを備えたので、キーを用いずに、ロックアームによるロック機構の解除・復帰を繰り返し行うことができ、施錠装置の流通時，取付時の利便性を高めることができる。
【００４３】
さらに、本発明に係る施錠装置によれば、ユニットベースに前枠の背面側からカバーを固着し、このカバーによってユニットベースの内部機構を覆ったので、遊技機の背面側からロックアーム等を解除操作し、前枠を開放する等の不正行為や、内部機構を破壊する行為などを防止することができる。
【図面の簡単な説明】
【図１】本発明に係る施錠装置の要部分解斜視図である。
【図２】本発明に係る施錠装置の分解斜視図である。
【図３】図２の側面視を（ａ）、背面視を（ｂ）で示した組立外観図である。
【図４】図３の前枠解錠状態における組立外観図である。
【図５】図３のガラス扉解錠状態における組立外観図である。
【図６】図１に示したロックアームの斜視図である。
【図７】図１に示したシリンダーカムの斜視図である。
【図８】図１に示した解除カムの斜視図である。
【図９】図１に示した解除レバーの斜視図である。
【図１０】図１に示したロックカムの斜視図である。
【図１１】図１に示したガイドの斜視図である。
【図１２】図１における前枠閉鎖時の状態を側面視（ａ）、背面視（ｂ）で示した動作説明図である。
【図１３】図１２における前枠開放可能状態の動作説明図である。
【図１４】図１２における前枠開放状態の動作説明図である。
【図１５】図１２における前枠閉動状態の動作説明図である。
【図１６】図１２におけるロック解除状態の動作説明図である。
【図１７】図１２におけるロック復帰状態の動作説明図である。
【図１８】従来の遊技台用施錠装置の斜視図である。
【符号の説明】
１…フレーム
５…ロット
９…ロックユニット
１１…シリンダー錠
１３…ユニットベース
１３ｂ…ロック解除機構解除穴
１３ｃ…側壁
１５…シリンダーカム
１９…ロックアーム
２１…解除レバー
２５…ロックカム
２７…解除カム
２７ｃ…傾斜板
２９…ガイド
２９ｂ…ロック解除機構復帰穴
３１…カバー
３８…外枠
４０…施錠装置
４１…棒
【図１】
0004169974.tif 000002
【図２】
0004169974.tif 000003
【図３】
0004169974.tif 000004
【図４】
0004169974.tif 000005
【図５】
0004169974.tif 000006
【図６】
0004169974.tif 000007
【図７】
0004169974.tif 000008
【図８】
0004169974.tif 000009
【図９】
0004169974.tif 000010
【図１０】
0004169974.tif 000011
【図１１】
0004169974.tif 000012
【図１２】
0004169974.tif 000013
【図１３】
0004169974.tif 000014
【図１４】
0004169974.tif 000015
【図１５】
0004169974.tif 000016
【図１６】
0004169974.tif 000017
【図１７】
0004169974.tif 000018
【図１８】
0004169974.tif 000019